(57)【要約】【課題】  手摺の支持部分が選択使用可能とされ、製造が容易になされるとともに安価な手摺の壁面への取り付け具を提供する。【解決手段】第１の篏合連結部７を持つ手摺１０２の受け部材２と、第１の篏合連結部７に篏合連結される第２の篏合連結部２１と手摺１０２が配置される壁面１００への取り付け部１０とを備える取り付け部材３とから構成される手摺の壁面への取り付け具。【選択図】図１
2019044560.tif 000002
【特許請求の範囲】
【請求項１】
第１の篏合連結部を持つ手摺の受け部材と、
前記第１の篏合連結部に篏合連結される第２の篏合連結部と前記手摺が配置される壁面への取り付け部とを備える取り付け部材と、
から構成される手摺の壁面への取り付け具。
【発明の詳細な説明】
【技術分野】
【０００１】  この発明は、家屋等における手摺の壁面への取り付け具に関する。
【背景技術】
【０００２】  高齢化が進むにつれて、家屋内の階段や廊下の壁面に沿って手摺を配置することが多く行われている。手摺は壁面に取り付けられる取り付け具に棒状の手摺が適宜の形態で保持される状態で壁面に沿って配置される。
【発明の概念】
【発明が解決しようとする課題】
【０００３】  上記の取り付け具における手摺の支持構造は受け構造、挿通構造等種々あるとともにそのデザインも種々異なり、また、手摺の支持位置が異なることでもその支持構造が異なる。したがって、多種多様の取り付け具が必要とされ、製造に手間がかかるとともにそれに伴ってコストも高くなる問題があった。
【０００４】  この発明は上記の事情に鑑みて行ったもので、手摺の支持部分が選択使用可能とされ、製造が容易になされるとともに安価な手摺の壁面への取り付け具を提供することを目的とする。
【課題を解決するための手段】
【０００５】  この発明では、第１の篏合連結部を持つ手摺の受け部材と、前記第１の篏合連結部に篏合連結される第２の篏合連結部と前記手摺が配置される壁面への取り付け部とを備える取り付け部材とから構成される手摺の壁面への取り付け具を提供する。
【０００６】上記構成の取り付け具は、手摺の受け部材と壁面への取り付け部材とが分離構成であることで取り付け部材に対して種々形態の異なる受け部材の使用が可能となる。受け部材と壁面への取り付け部材とは、互いに嵌合連結される第１の篏合連結部と第２の篏合連結部備えていることで、その連結が互いが位置決めされる状態で安定した構造において容易になされる。
【発明の効果】
【０００７】  この発明によれば、同一形態の取り付け部材に対してデザイン面や取り付け位置等を考慮した適宜形態の受け部材が使用できることで、種々異なる形態の手摺の取り付け具が製造容易に、安価に提供できるようになる。
【図面の簡単な説明】
【０００８】
【図１】  この発明の手摺の壁面への取り付け具の実施形態の分解斜視図
【図２】  この発明の手摺の壁面への取り付け具の実施形態の使用状態斜視図
【図３】  この発明の手摺の壁面への取り付け具の実施形態の使用状態断面図
【図４】  この発明の手摺の壁面への取り付け具の実施形態の使用説明図
【図５】  この発明の手摺の壁面への取り付け具に使用する手摺の受け部材の実施形態の底面図
【図６】  この発明の手摺の壁面への取り付け具に使用する取り付け部材の実施形態の平面図
【図７】  この発明の手摺の壁面への取り付け具の異なる実施形態の使用状態斜視図
【図８】  この発明の手摺の壁面への取り付け具の異なる実施形態に用いる受け部材の斜視図
【図９】  この発明の手摺の壁面への取り付け具のさらに異なる実施形態の使用状態斜視図
【発明の好ましい実施形態】
【０００９】  図１はこの発明の壁面への取り付け具の実施形態の分解斜視図、図２は同壁面への取り付け具の使用状態斜視図、図３は同使用状態断面図、図４は同使用説明図である。壁面への取り付け具１はステンレス製で、手摺の受け部材２と取り付け部材３とから構成される。
【００１０】  手摺の受け部材２は円筒形態の受け部５とその下側中央から突出形成される篏合連結部７とから構成される。受け部５は、図５に示すように、下面側の両端近傍位置に固定穴９のそれぞれが設けられている。篏合連結部（第１の嵌合連結部）７は楕円台形態でその長手方向を受け部５の軸方向と直交するように設けられ、篏合連結部７の下面にはネジの切られた固定穴８が設けられている。
【００１１】  取り付け部材３は本体部１０とカバー部１２とから構成される。本体部１０は方形で垂直に位置する取り付け面部１４と、三角形状で取り付け面部１４の上端に連続して前方に突出する支持面部１６との折れ曲がり形態で、取り付け面部１４には４個の固定穴１８が設けられるとともに下部に係止穴２０が設けられている。支持面部１６の先端の上面には篏合連結部（第２の嵌合連結部）２１が突出形成されている。篏合連結部２１は楕円台形態でその上面には楕円形体の篏合穴２２が凹設され、その篏合穴２２の底部には、図６に示すように、固定穴２４が連通して設けられている。また、取り付け面部１４の前面の中央位置から支持面部１６の下面の中央位置にかけては連続して補強リブ２６が設けられ、さらに、取り付け面部１４の前面の両側位置から支持面部１６の下面の両側位置にかけては連続して凸条２８がそれぞれ設けられ、それら凸条２８の支持面部１６に位置する部分の両側位置には係止溝３０が設けられている。カバー部１２は本体部１０の前面を覆う形態で上方と後方とが開放しており、両側の上縁には係止縁３２を備えるとともに下部の中央後縁に係止部３４を備えている。カバー部１２は係止縁３２のそれぞれが係止溝３０のそれぞれに前方からスライド係止されるとともに、係止部３４が係止穴２０に係止されることで本体部１０に取り付けられている。
【００１２】  以下、図３、図４を参照して取り付け具１の使用について説明する。本体部１０は取り付け部材１０の取り付け面部１４が固定穴１８それぞれにおいて固定ネジ５２により壁面１００に固定され、その前面下部にカバー部１２が装着されて設けられる。この取り付け部材１０の支持面部１６の篏合連結部２１の篏合穴２２に受け部材２の篏合連結部７が上方から嵌合され、固定ネジ６０が下方から固定穴２４に差し入れられ、さらに固定穴８に螺入されることで、取り付け部材３上に受け部材２が固定される。このように壁面１００に設けられた取り付け具１の受け部材２に手摺１０２が通され、固定ネジ５５それぞれにより固定穴９を通して受け部材２に固定される。
【００１３】  図７は異なる形態の受け部材を使用した取り付け具１を用いた手摺の取り付け構造を示す。この実施形態では、図８に示すように、受け部材２００として受け部２０１が手摺１０２の周囲面に沿う湾曲面となったものを用い、取り付け部材３は上記実施形態との同形態のものを用いている。受け部材２００は上記実施形態のものと同形態の篏合連結部７を一体に備え、上記実施形態のものと同様に取り付け部材３に連結固定されて使用される
【００１４】  図９はさらに異なる形態の受け部材を使用した取り付け具１を用いた手摺の取り付け構造を示す。この実施形態では受け部材２０３として一端が閉じた円筒形態の受け部２０５を備える使用しており、手摺１０２の端部に受け部材２０５が外嵌する状態で用いられている。受け部材２０５は上記実施形態のものと同形態の篏合連結部７を一体に備え、上記実施形態のそれぞれのものと同様に取り付け部材３に連結固定されて使用される。
【００１５】  上記のようにして、取り付け具１が受け部材と取り付け部材との分離構成とされ、かつ、同構造の篏合連結構造により連結できる構成とされていることで、同一形態の取り付け部材に対してデザイン面や取り付け位置等を考慮した適宜形態の受け部材が使用され、これにより取り付け部材を共通として種々異なる取り付け具が提供される。
【符号の説明】
【００１６】１    手摺の取り付け具
２    手摺の受け部材
３    取り付け部材
７    嵌合連結部（第１の嵌合連結部）
１０  本体部（取り付け部）
２１  嵌合連結部（第２の嵌合連結部）
【図１】
2019044560.tif 000003
【図２】
2019044560.tif 000004
【図３】
2019044560.tif 000005
【図４】
2019044560.tif 000006
【図５】
2019044560.tif 000007
【図６】
2019044560.tif 000008
【図７】
2019044560.tif 000009
【図８】
2019044560.tif 000010
【図９】
2019044560.tif 000011